(57)【要約】【課題】コンクリートスラブの厚さを小さくすることで、建物の柱や梁が負担する荷重を小さくできるうえに、実用性及び機能性に優れた建物を提供する。【解決手段】複数階から成る鉄筋コンクリート造の建物１であって、この建物１の階間は、柱２,・・・に連結された大梁３，・・・の梁成よりも薄い厚さのコンクリートスラブ４が、大梁３，・・・の高さ方向の中間部に設けられ、コンクリートスラブ４の上面には、逆小梁５，・・・が突設されており、逆小梁５，・・・の上面は、大梁３，・・・の上面と略同一な高さとされ、大梁３と逆小梁５との間及び逆小梁５，５同士間に、コンクリートスラブ４の上面から間が開く成の根太７が架設され、大梁３，・・・及び逆小梁５，・・・並びに根太７，・・・の上面に、床板８が設けられ、大梁３，・・・に、コンクリートスラブ４の下面から間を開けて天井板６が設けられた構成とされている。【選択図】図２
2010100994.tif 000002
【特許請求の範囲】
【請求項１】
複数階から成る鉄筋コンクリート造又は鉄骨鉄筋コンクリート造の建物であって、
前記建物の階間は、柱に連結された大梁の梁成よりも薄い厚さのコンクリートスラブが、前記大梁の高さ方向の中間部に設けられ、前記コンクリートスラブの上面には、逆小梁が突設されており、
前記大梁に、前記コンクリートスラブの下面から間を開けて天井板が設けられていることを特徴とする建物。
【請求項２】
複数階から成る鉄筋コンクリート造又は鉄骨鉄筋コンクリート造の建物であって、
前記建物の階間は、柱に連結された大梁の梁成よりも薄い厚さのコンクリートスラブが、前記大梁の高さ方向の中間部に設けられ、前記コンクリートスラブの上面には、逆小梁が突設されており、
前記逆小梁の上面は、前記大梁の上面と略同一な高さとされ、
前記大梁と前記逆小梁との間及び前記逆小梁同士間に、コンクリートスラブの上面から間が開く成の根太が架設され、前記大梁及び前記逆小梁並びに前記根太の上面に、床板が設けられていることを特徴とする建物。
【請求項３】
前記根太又は前記床板と前記コンクリートスラブの上面との間隔の少なくとも一部分に減衰材が介在して設けられていることを特徴とする請求項２に記載の建物。
【発明の詳細な説明】
【技術分野】
【０００１】
本発明は、複数階から成る鉄筋コンクリート造又は鉄骨鉄筋コンクリート造の建物に関するものである。
【背景技術】
【０００２】
従来から、複数階から成る鉄筋コンクリート造や鉄骨鉄筋コンクリート造の建物において、各階間は、コンクリートスラブにより仕切られていた。
【０００３】
こうした従来技術では、通常、コンクリートスラブの上面に載置するように根太が設けられ、この根太の上面に床板が設けられていたので、コンクリートスラブの厚さが大きいものとなり、建物の柱や梁が負担する荷重は大きく、そのうえ、床下に電気配線などを配設することが困難であった。
【０００４】
こうしたことから、コンクリートスラブの上面に逆小梁を突設して、このコンクリートスラブの厚さを小さくすることで、電気配線などを配設することに利用する床下空間を形成した従来技術も提案されている（特許文献１などを参照）。
【特許文献１】特公平０７−８１３５６号公報
【発明の開示】
【発明が解決しようとする課題】
【０００５】
しかしながら、上記した特許文献１のような従来技術では、まず、コンクリートスラブの下面に、直接に天井板が設けられているため、下階の照明器具などの電気配線を配設することが困難であるという問題点があった。
【０００６】
また、根太が、大梁間に、途中部分が逆小梁の上面に載置されて架設されているため、構造設計上の必要な強度を確保するには、逆小梁間のスパンは小さく限定されてしまい、そのうえ、上階の室内空間の高さを所望の高さにするには、根太の成も低くしなければならず、その分、設計の自由度が低いという問題点もあった。
【０００７】
そこで、本発明は、コンクリートスラブの厚さを小さくすることで、建物の柱や梁が負担する荷重を小さくできるうえに、実用性及び機能性に優れた建物を提供することを目的としている。
【課題を解決するための手段】
【０００８】
前記目的を達成するために、本発明の第１の建物は、複数階から成る鉄筋コンクリート造又は鉄骨鉄筋コンクリート造の建物であって、前記建物の階間は、柱に連結された大梁の梁成よりも薄い厚さのコンクリートスラブが、前記大梁の高さ方向の中間部に設けられ、前記コンクリートスラブの上面には、逆小梁が突設されており、前記大梁に、前記コンクリートスラブの下面から間を開けて天井板が設けられていることを特徴とする。
【０００９】
本発明の第２の建物は、複数階から成る鉄筋コンクリート造又は鉄骨鉄筋コンクリート造の建物であって、前記建物の階間は、柱に連結された大梁の梁成よりも薄い厚さのコンクリートスラブが、前記大梁の高さ方向の中間部に設けられ、前記コンクリートスラブの上面には、逆小梁が突設されており、前記逆小梁の上面は、前記大梁の上面と略同一な高さとされ、前記大梁と前記逆小梁との間及び前記逆小梁同士間に、コンクリートスラブの上面から間が開く成の根太が架設され、前記大梁及び前記逆小梁並びに前記根太の上面に、床板が設けられていることを特徴とする。
【００１０】
ここで、前記根太又は前記床板と前記コンクリートスラブの上面との間隔の少なくとも一部分に減衰材が介在して設けられているとよい。
【発明の効果】
【００１１】
このような本発明の第１の建物は、複数階から成る鉄筋コンクリート造又は鉄骨鉄筋コンクリート造の建物であって、建物の階間は、柱に連結された大梁の梁成よりも薄い厚さのコンクリートスラブが、大梁の高さ方向の中間部に設けられ、コンクリートスラブの上面には、逆小梁が突設されており、大梁に、コンクリートスラブの下面から間を開けて天井板が設けられた構成である。
【００１２】
こうした構成なので、コンクリートスラブの厚さを小さくすることで、建物の柱や梁が負担する荷重を小さくでき、建物の耐久性を向上させることができる。
【００１３】
そのうえ、コンクリートスラブの下面と天井板の上面との間に形成される天井裏空間を利用して、下階の照明器具などの電気配線を容易に配設することができる。
【００１４】
このような本発明の第２の建物は、複数階から成る鉄筋コンクリート造又は鉄骨鉄筋コンクリート造の建物であって、建物の階間は、柱に連結された大梁の梁成よりも薄い厚さのコンクリートスラブが、大梁の高さ方向の中間部に設けられ、コンクリートスラブの上面には、逆小梁が突設されており、逆小梁の上面は、大梁の上面と略同一な高さとされ、大梁と逆小梁との間及び逆小梁同士間に、コンクリートスラブの上面から間が開く成の根太が架設され、大梁及び逆小梁並びに根太の上面に、床板が設けられた構成である。
【００１５】
こうした構成なので、本発明の第１の建物と同様、コンクリートスラブの厚さを小さくすることで、建物の柱や梁が負担する荷重を小さくでき、建物の耐久性を向上させることができる。
【００１６】
そのうえ、電気配線などを配設するのに利用可能な床下空間を形成できるとともに、逆小梁間のスパンや根太の成をある程度変化させることができるなど、構造設計上の必要な強度を確保し、上階の屋内空間の高さを所望の高さにするうえで、設計の自由度を高くすることができる。
【００１７】
ここで、根太又は床板とコンクリートスラブの上面との間隔の少なくとも一部分に減衰材が介在して設けられている場合は、上階部分の床の振動を減衰材が吸収するため、下階部分への騒音を低減することができる。
【発明を実施するための最良の形態】
【００１８】
以下、本発明を実現する最良の形態を、図面に示す実施例１，２に基づいて説明する。
【実施例１】
【００１９】
先ず、実施例１について説明する。
【００２０】
図１は、実施例１の建物１の概略構成を示している。
【００２１】
この建物１は、複数階（ここでは、一例として４階）から成る鉄筋コンクリート造のものである。
【００２２】
この建物１の階間は、図２に示したように、柱２，・・・に連結された大梁３，・・・の梁成よりも薄い厚さのコンクリートスラブ４が、大梁３，・・・の高さ方向の中間部に設けられている。
【００２３】
ここで、コンクリートスラブ４の上面には、大梁３，・・・の上面の高さと略同一な高さの逆小梁５，・・・が略一定のスパンで突設されている。
【００２４】
また、大梁３と逆小梁５との間及び逆小梁５，５同士間に、コンクリートスラブ４の上面から間が開く成の鋼製（角形鋼管）の根太７，・・・がそれぞれ架設されている。
【００２５】
この根太７は、その両端部に、溶接などにより、アングル材１０，１０がそれぞれ接合されており、各アングル材１０の折り返し部から各大梁３及び各逆小梁５にコンクリートビス１１，・・・をねじ込み固定することにより、剛接合されている。
【００２６】
但し、この根太７は、鋼製に限定されず、木製のものなどを用いて実施してもよい。
【００２７】
そして、大梁３，・・・及び逆小梁５，・・・並びに根太７，・・・の上面に、パーチクルボードなどから成る床板８が接着剤などで貼設されている。
【００２８】
よって、床板８の下側には、電気配線（図示せず）などを配設可能な床下空間１２が形成されている。
【００２９】
ここで、逆小梁５や大梁３には、必要性に応じて、ボイド１３を設けられており、床下空間１２内において、電気配線（図示せず）などを様々なバリエーションで配設可能としている。
【００３０】
さらに、大梁３，・・・には、リップ付き溝形鋼の野縁１４，・・・が、コンクリートスラブ４の下面から間を開けて設けられ、これらの野縁１４，・・・の下面に、石膏ボードなどから成る天井板６が接着剤などで貼設されている。
【００３１】
よって、天井板６の上側には、天井裏空間１５が形成されている。
【００３２】
本実施例１では、天井板６の下面に、照明器具１６が設けられており、この照明器具１６の電気配線１７は、天井裏空間１５に配設されている。
【００３３】
以上に、建物１の１階と２階との階間の構造について説明したが、建物１の他の階間も同様な構成とされており、上下の大梁３，３間が、壁１８で、それぞれ仕切られて、屋内空間が形成されている。
【００３４】
なお、この建物１は、各階において、一方の壁１８の外側に、手摺り１９を有するバルコニー２０が張り出して設けられており、他方の壁１８の外側には、通路２１が張り出して設けられている。
【００３５】
次に実施例１の作用効果について説明する。
【００３６】
このような実施例１の建物１は、複数階から成る鉄筋コンクリート造のものであり、この建物１の階間が、柱２,・・・に連結された大梁３，・・・の梁成よりも薄い厚さのコンクリートスラブ４が、大梁３，・・・の高さ方向の中間部に設けられ、コンクリートスラブ４の上面には、逆小梁５，・・・が突設された構成である。
【００３７】
こうした構成なので、コンクリートスラブ４の厚さを小さくすることで、建物１の柱２，・・・や梁（大梁３，・・・逆小梁５，・・・）が負担する荷重を小さくすることができ、建物１の耐久性を向上させることができる。
【００３８】
ここで、逆小梁５，・・・の上面は、大梁３，・・・の上面と略同一な高さとされ、大梁３と逆小梁５との間及び逆小梁５，５同士間に、コンクリートスラブ４の上面から間が開く成の根太７，・・・が架設され、大梁３，・・・及び逆小梁５，・・・並びに根太７，・・・の上面に、床板８が設けられている。
【００３９】
このため、電気配線などを配設するのに利用可能な床下空間１２を形成できる。
【００４０】
そのうえ、逆小梁５，５間のスパンや根太７，・・・の成をある程度変化させることができるなど、構造設計上の必要な強度を確保し、上階の屋内空間の高さを所望の高さにするうえで、設計の自由度を高くすることができる。
【００４１】
また、大梁３，・・・に、コンクリートスラブ４の下面から間を開けて天井板６が設けられているので、コンクリートスラブ４の下面と天井板６の上面との間に形成される天井裏空間１５を利用して、下階の照明器具１６などの電気配線１７を容易に配設することができる。
【実施例２】
【００４２】
次に、実施例２について説明する。
【００４３】
なお、上記実施例１で説明した内容と同一乃至均等な部分の説明については同一符号を付して説明する。
【００４４】
この実施例２の建物１では、この建物１の階間において、図３に示したように、根太７の下面とコンクリートスラブ４の上面との間隔の一部分に減衰材９が介在して設けられていることが、上記実施例１と主に異なる。
【００４５】
ここで、減衰材９としては、減衰ゴム、ロックウール、スポンジ材などの減衰効果を発揮する様々なものが好適に使用される。
【００４６】
また、この減衰材９は、根太７の下面とコンクリートスラブ４との間隔の全体に介在して設ける必要はなく、図示したように、根太７の中央部分などの一部分だけに介在して設ければよい。
【００４７】
なお、減衰材９は、床板８の下面とコンクリートスラブ４との間隔に設けて実施してもよい。
【００４８】
よって、この実施例２では、根太７とコンクリートスラブ４との間に減衰材９が介在して設けられている分、実施例１に比して、上階部分の床の振動を減衰材９が吸収するため、下階部分への騒音を低減することができる。
【００４９】
なお、他の構成及び作用効果については、上記実施例１と略同様であるので説明を省略する。
【００５０】
以上、図面を参照して、本発明の最良の実施の形態について実施例１，２をもとに詳述してきたが、具体的な構成は、上記した実施例１，２に限らず、本発明の要旨を逸脱しない程度の設計的変更は、本発明に含まれる。
【００５１】
例えば、上記実施例１，２では、建物１を鉄筋コンクリート造として実施したが、これに限定されず、鉄骨鉄筋コンクリート造として実施してもよい。
【００５２】
また、上記実施例１，２では、短尺の根太７，・・・を大梁３と逆小梁５との間及び逆小梁５，５同士の間にそれぞれ架設して実施したが、これに限定されず、長尺の根太を大梁３，３及び逆小梁５，・・・の上面に架設して実施してもよい。
【図面の簡単な説明】
【００５３】
【図１】実施例１の建物の概略構成を示す斜視図である。
【図２】実施例１の建物の階間構造の概略構成を示す図１のＡ−Ａ線矢視断面図である。
【図３】実施例２の建物の階間構造の概略構成を示す縦断面図である。
【符号の説明】
【００５４】
１      建物
２      柱
３      大梁
４      コンクリートスラブ
５      逆小梁
６      天井板
７      根太
８      床板
９      減衰材
【図１】
2010100994.tif 000003
【図２】
2010100994.tif 000004
【図３】
2010100994.tif 000005